(57)【要約】【課題】屋外でのぞかれることなくプライベートな行いをすることができるプライベートエクステリア空間部を形成することが可能で、しかも、該空間部で開放感を味わうことも可能な、プライベートエクステリア空間部形成用の設備を提供する。【解決手段】目隠し用面状材６と、該目隠し用面状材６を保持するフレーム７とが備えられ、目隠し用面状材６が、形成しようとするプライベートエクステリア空間部１を挟む一方の側に備えられ、動き可能又は着脱可能で、プライベートエクステリア空間部１を目隠ししたり、開放したりすることができるようになされている。【選択図】      図１
2005282254.tif 000002
【特許請求の範囲】
【請求項１】
プライベートエクステリア空間部形成用の設備であって、
動き可能な目隠し用面状材と、該目隠し用面状材を保持するフレームとが備えられ、
前記目隠し用面状材が、
形成しようとするプライベートエクステリア空間部を挟む一方の側で垂直状になり、プライベートエクステリア空間部の目隠しをする第１の状態と、
プライベートエクステリア空間部の上方位置で前記一方の側に向けて落雪可能な角度で下方に傾斜した状態になり、該一方の側に落雪させる第２の状態と、
に、動きによって切り換えることができるようになされていることを特徴とする、プライベートエクステリア空間部形成用の設備。
【請求項２】
プライベートエクステリア空間部形成用の設備であって、
目隠し用面状材と、該目隠し用面状材を垂直状にして保持するフレームとが、形成しようとするプライベートエクステリア空間部を挟む一方の側に備えられ、
フレームは、複数の目隠し用面状材を個別に着脱可能に保持する複数の取付け枠部を備え、取付け枠部に取り付ける目隠し用面材の数と位置を変更することで目隠しの広さと方向を調節できるようになされていることを特徴とする、プライベートエクステリア空間部形成用の設備。
【請求項３】
プライベートエクステリア空間部形成用の設備であって、
目隠し用面状材と、該目隠し用面状材を保持するフレームとが備えられ、
目隠し用面状材が、形成しようとするプライベートエクステリア空間部を挟む一方の側に備えられ、動き可能又は着脱可能で、プライベートエクステリア空間部を目隠ししたり、開放したりすることができるようになされていることを特徴とするプライベートエクステリア空間部形成用の設備。
【発明の詳細な説明】
【技術分野】
【０００１】
本発明は、プライベートエクステリア空間部形成用の設備に関する。
【背景技術】
【０００２】
例えば住宅等の建物の敷地内において、屋外でプライベートな行いをしようとすると、敷地外から他人にのぞかれて、いやな思いをすることがあることから、屋外での行いを慎むことが多い。その一方で、敷地の境界部分などに背高な塀をつくってしまうと、屋外で開放感を味わいたいとき、それが全くできなくなる。
【発明の開示】
【発明が解決しようとする課題】
【０００３】
本発明は、上記のような問題点に鑑み、屋外でのぞかれることなくプライベートな行いをすることができるプライベートエクステリア空間部を形成することが可能で、しかも、該空間部で開放感を味わうことも可能な、プライベートエクステリア空間部形成用の設備を提供することを課題とする。
【課題を解決するための手段】
【０００４】
上記の課題は、プライベートエクステリア空間部形成用の設備であって、
動き可能な目隠し用面状材と、該目隠し用面状材を保持するフレームとが備えられ、
前記目隠し用面状材が、
形成しようとするプライベートエクステリア空間部を挟む一方の側で垂直状になり、プライベートエクステリア空間部の目隠しをする第１の状態と、
プライベートエクステリア空間部の上方位置で前記一方の側に向けて落雪可能な角度で下方に傾斜した状態になり、該一方の側に落雪させる第２の状態と、
に、動きによって切り換えることができるようになされていることを特徴とする、プライベートエクステリア空間部形成用の設備によって解決される。
【０００５】
この設備では、夏期や中間期等の積雪時期以外の季節において、目隠し用面状材を第１の状態にすることにより、プライベートエクステリア空間部が目隠し用面状材で目隠し状態になり、該空間部で、のぞかれる心配をすることなく、プライベートな行いをすることができる。
【０００６】
また、同じく夏期や中間期等の積雪時期以外の季節において、目隠し用面状材を第２の状態にすることにより、プライベートエクステリア空間部が外に開放され、該空間部で開放感を味わうことができる。
【０００７】
そして、例えば、北海道、東北、北陸などの積雪の多い地域においては、積雪時期に、目隠し用面状材を第２の状態にすることにより、目隠し用面状材の上に積もった雪が落雪して、プライベートエクステリア空間部の前記一方の側に雪の塀が形成される一方、プライベートエクステリア空間部には積雪せず、プライベートエクステリア空間部においてプライベートな行いをすることができる。
【０００８】
また、上記の課題は、プライベートエクステリア空間部形成用の設備であって、
目隠し用面状材と、該目隠し用面状材を垂直状にして保持するフレームとが、形成しようとするプライベートエクステリア空間部を挟む一方の側に備えられ、
フレームは、複数の目隠し用面状材を個別に着脱可能に保持する複数の取付け枠部を備え、取付け枠部に取り付ける目隠し用面材の数と位置を変更することで目隠しの広さと方向を調節できるようになされていることを特徴とする、プライベートエクステリア空間部形成用の設備によっても解決される。
【０００９】
この設備では、フレームの取付け枠部に取り付ける目隠し用面材の数と位置を変更することで目隠しの広さと方向を調節できるようになされているので、プライベートエクステリア空間部を目隠し状態にしてプライベートな行いをすることができると共に、開放することで開放感を味わうことができる。特に、目隠しの広さと方向を調節できるようになされていることで、複数種類のセミオープン形態を実現することができ、プライベートエクステリア空間部の用途や状況に併せて好みの用い方をすることができる。
【００１０】
また、上記の課題は、基本的には、プライベートエクステリア空間部形成用の設備であって、
目隠し用面状材と、該目隠し用面状材を保持するフレームとが備えられ、
目隠し用面状材が、形成しようとするプライベートエクステリア空間部を挟む一方の側に備えられ、動き可能又は着脱可能で、プライベートエクステリア空間部を目隠ししたり、開放したりすることができるようになされていることを特徴とするプライベートエクステリア空間部形成用の設備によって解決される。
【００１１】
この設備では、目隠し用面状材を動かしたりあるいは着脱することで、プライベートエクステリア空間部を目隠ししたり、開放したりすることができるので、プライベートエクステリア空間部において、屋外でのぞかれることなくプライベートな行いをすることができると共に、同空間部を開放して開放感を味わうこともできる。
【発明の効果】
【００１２】
本発明は、以上のとおりのものであるから、屋外でのぞかれることなくプライベートな行いをすることができるプライベートエクステリア空間部を形成することが可能で、しかも、該プライベートエクステリア空間部において必要に応じて開放感を味わうことも可能である。
【発明を実施するための最良の形態】
【００１３】
次に、本発明の実施最良形態を図面に基づいて説明する。
【００１４】
図１及び図２に示す第１実施形態のプライベートエクステリア空間部形成用の設備２は、プライベートエクステリア空間部１を敷地３内の建物４の一階部分の開口部５に隣り合うように形成するもので、同設備２において、６は目隠し用面状材、７はフレームである。本実施形態の目隠し用面状材６は、帯板状をした多数の単位目隠し用線状材６ａ…を並列状態に並べて構成されるようになされたものからなり、フレーム７は、建物４の開口部５よりも上方の高さ位置から屋外方向に向けて斜め下方に傾斜する屋根骨部７ａと、屋根骨部７ａの先端から地上に達する柱骨部７ｂとを一体に備えたもので、フレーム７は左右に対で備えられている。
【００１５】
そして、前記各単位目隠し用線状材６ａ…はそれぞれ、左右のフレーム７に両端を保持され、該フレーム７をレールとして屋根骨部７ａと柱骨部７ｂとを行き来できるように備えられ、図２（イ）に示すように、すべての単位目隠し用線状材６ａ…をフレーム７の柱骨部７ｂの側で隣接状態に並列させて目隠し用面状材６を形成した第１の状態にすることにより、外からのぞかれないプライベートエクステリア空間部１を形成することができると共に、図２（ロ）に示すように、すべての単位目隠し用線状材６ａ…をフレーム７の屋根骨部７ａの側で隣接状態に並列させて目隠し用面状材６を形成した第２の状態にすることにより、プライベートエクステリア空間部１を外に開放できるようになされている。なお、１１は敷地境界部分を示す段、１２は道路である。
【００１６】
なお、各単位目隠し用線状材６ａ…の移動は、電動で行われるようになっていてもよいし、手動で行うようになっていてもよい。また、各単位目隠し用線状材６ａ…は、個別に動かして所望の位置で位置保持させることができるようになっていてもよい。
【００１７】
上記の設備２では、夏期や中間期等の積雪時期以外の季節において、図２（イ）に示すように、目隠し用面状材６を上記の第１の状態にすることにより、プライベートエクステリア空間部１が目隠し用面状材６で外に対して目隠し状態になり、該空間部１で、のぞかれる心配をすることなく、太陽光を受けながら、プライベートな行いをすることができる。
【００１８】
また、同じく夏期や中間期等の積雪時期以外の季節において、図２（ロ）に示すように、目隠し用面状材６を上記の第２の状態にすることにより、プライベートエクステリア空間部１が外に開放され、日差しを遮りながら、あるいは抑えながら、該空間部１で開放感を味わうことができる。
【００１９】
そして、例えば、北海道、東北、北陸などの積雪の多い地域においては、積雪時期に、図１（ロ）に示すように、目隠し用面状材６を上記の第２の状態にすることにより、目隠し用面状材６の上に積もった雪８が落雪して、プライベートエクステリア空間部１の外に雪の塀９が形成される一方、プライベートエクステリア空間部１には積雪せず、プライベートエクステリア空間部１において、積雪地ならではの屋外での雪見入浴などのプライベートな行いをすることができる。
【００２０】
図３及び図４に示す第２実施形態の設備２は、フレーム７が、図４に示すように、自立形の垂直フレームからなっていて、所定の間隔をおいて敷地３に並列状態にされて立設された複数本の縦材７ｃと、上下方向に所定の間隔をおいて縦材７ｃ…間にわたされた複数本の横材７ｄとで構成され、これら縦材７ｃ…と横材７ｄ…とで囲まれる各部分を取付け枠部１０…とし、各取付け枠部１０…に目隠し用面状材６…を着脱可能に取り付けることができるようになされている。なお、本実施形態におけるフレーム７では、取付け枠部１０…が上下方向及び左右方向にそれぞれ複数備えられている。
【００２１】
目隠し用面状材６は、フレーム７の各取付け枠部１０を目隠し状態に遮蔽することができるものであればよく、例えば、板状のものからなっていてもよいし、シート状のものからなっていてもよく、フレーム７の各取付け枠部１０…に個別に取り付けることができるようになされている。目隠し用面状材６の取付けは、シート状のものの場合、紐による結び付けで行えるようになっていてもよいし、パネル状のものである場合にはワンタッチ脱着式の金物などで行えるようになっていてもよい。
【００２２】
上記の設備２では、図４（イ）に示すように、フレーム７のすべての取付け枠部１０…に目隠し用面状材６…を取り付けることにより、ライベートエクステリア空間部１が目隠し用面状材６…で外に対して目隠し状態になり、該空間部１で、のぞかれる心配をすることなく、プライベートな行いをすることができる。
【００２３】
また、図４（ホ）に示すように、フレーム７のすべての取付け枠部１０…から目隠し用面状材６…を取り外した状態にすることにより、プライベートエクステリア空間部１は外に開放され、該空間部１で開放感を味わうことができる。
【００２４】
そして、本実施形態の設備２では、図４（ロ）（ハ）（ニ）に示すように、目隠し用面状材６を一部の取付け枠部１０からは取り外し、残る一部の取付け枠部１０には取り付けた状態とすることも可能であり、複数種類のセミオープン形態を実現することができ、プライベートエクステリア空間部１の用途や状況に併せて好みの用い方をすることができる。
【００２５】
以上に、本発明の実施形態を示したが、本発明はこれに限られるものではなく、発明思想を逸脱しない範囲で各種の変更が可能である。例えば、本発明の設備は、プライベートエクステリア空間部を建物に隣接する敷地に形成する場合に限らず、敷地内において、建物から離れて、建物とは独立したプライベートエクステリア空間部を形成するのに用いることも可能である。
【図面の簡単な説明】
【００２６】
【図１】図（イ）は第１実施形態の設備の構造を示す側面図、図（ロ）は使用状態の一例を示す側面図である。
【図２】図（イ）及び図（ロ）はそれぞれ、他の使用状態を示す側面図である。
【図３】図（イ）は第２実施形態の設備を示す側面図、図（ロ）は同平面図である。
【図４】図（イ）〜図（ホ）はそれぞれ、目隠しの広さと方向を異ならせた種々の使用例を示す設備の正面図である。
【符号の説明】
【００２７】
１…プライベートエクステリア空間部
２…設備
６…目隠し用面状材
７…フレーム
１０…取付け枠部
【図１】
2005282254.tif 000003
【図２】
2005282254.tif 000004
【図３】
2005282254.tif 000005
【図４】
2005282254.tif 000006